(57)【要約】      （修正有）【課題】一般家庭等で調理時に使用する大中小各種の計量スプーンを一まとめに重ねて収納して置くスタンド付きの計量スプーンセットを提供する。【解決手段】小さじ部１と小柄部５、中小さじ部２と中小柄部６、中大さじ部３と中大柄部７、大さじ部４と大柄部８から成る各スプーン体を設ける。このスプーン体の各柄部は各さじ部に対し直角に偏平形状にした把持面を形成し、他方、スタンド板体１７の頭部１８に凹溝部１９を設けるとともに尾部２０に中間部をおいて２本の起立材２２，２２を前記頭部方向へ円弧状に斜設する。また、前記起立材の中間部に前記スプーン体の偏平形状の大中小の柄部を縦方向に挟合するとともに最下位のスプーン体の大柄体の大さじ部に中大さじ部、中小さじ部、小さじ部の順に嵌合して成る。【選択図】図５
0003173874.tif 000002
【実用新案登録請求の範囲】
【請求項１】
小さじ部と小柄部、中小さじ部と中小柄部、中大さじ部と中大柄部、大さじ部と大柄部から成る各スプーン体を設け、このスプーン体の各柄部は各さじ部に対し直角に偏平形状にした把持面を形成し、他方、スタンド板体の頭部に凹溝部を設けるとともに尾部には中間部をおいて２本の起立材を前記頭部方向へ円弧状に斜設し、前記起立材の中間部に前記スプーン体の偏平形状の大中小の柄部を縦方向に挟合するとともに最下位のスプーン体の大柄体の大さじ部に中大さじ部、中小さじ部、小さじ部の順に嵌合して成ることを特徴とする計量スプーンセット。
【考案の詳細な説明】
【技術分野】
【０００１】
本考案は、一般家庭等の調理時に使用する計量スプーンセットに関するものである。
【背景技術】
【０００２】
従来、わが国において使用されている計量スプーンは、分量の異なる大中小のさじ部を有する柄から成るものを複数個用意し、これを調理台や食卓に置いて使用するものであるところ、使用上の利便性を考慮して全部を一まとめにしておくことも必要であった。
【０００３】
そこで、そのような目的をもった計量スプーンについて調査したところ、次のようなものが刊行物公知となっていた。
【先行技術文献】
【特許文献】
【０００４】
【特許文献１】特開２００８−１４９２２号公報
【特許文献２】特開２００７−２２５５８０号公報
【特許文献３】登録実用新案第３１３０６２６号公報
【考案の概要】
【考案が解決しようとする課題】
【０００５】
しかしながら、これらのものはスプーン本体がその形状から周知のものであるとともに一まとめに重ねて収納して置くスタンド付きのものではなかったから、使いにくい技術から成るものであった。
【０００６】
そこで、本考案はこれらの欠点を改善した実用性の高い計量スプーンセットを提供することを目的とするものである。
【課題を解決するための手段】
【０００７】
本考案は、小さじ部と小柄部、中小さじ部と中小柄部、中大さじ部と中大柄部、大さじ部と大柄部から成る各スプーン体を設け、このスプーン体の各柄部は各さじ部に対し直角に偏平形状にした把持面を形成し、他方、スタンド板体の頭部に凹溝部を設けるとともに尾部に中間部をおいて２本の起立材を前記頭部方向へ円弧状に斜設し、前記起立材の中間部に前記スプーン体の偏平形状の大中小の柄部を縦方向に挟合するとともに最下位のスプーン体の大柄体の大さじ部に中大さじ部、中小さじ部、小さじ部の順に嵌合して成るものである。
【考案の効果】
【０００８】
本考案にあっては、使用する調味料などを大中小の分量別のスプーン体のさじ部によって正確に使用することができるのは勿論のこと、不使用時には全部のスプーン体を偏平形状に成る柄部を偏平状態のまま上下に重ねてスタンド板体の起立材間に挟合しておくだけで収納することができ、そのような収納状態にしたスプーン体の大中小のさじ部をセットとして調理台や食卓などに用意しておくことができる。
【０００９】
また、不使用時においてはスタンド板体上に縦方向に挟合したスプーン体の柄部の配置により、計量スプーンセットを調理台や食卓上に美観を保持することができるようになる。
【００１０】
なお、本考案の計量スプーンセットを使用するには、本件出願人がすでに取得している登録実用新案第３１１０１１６号に係る醤油差しとともに食卓で使用するのが有意義である。
【図面の簡単な説明】
【００１１】
【図１】使用する各計量スプーンの斜視図
【図２】使用するスタンドの斜視図
【図３】図２の平面図
【図４】計量スプーンの水平置き時の正面図
【図５】スタンド上の各計量スプーンの不使用時のセット状態を示す斜視図
【考案を実施するための形態】
【００１２】
不使用時においては、図５に示したような状態に大中小の分量別さじ部と柄部とから成るスプーン体を、各スプーン体の偏平形状に成る柄部をスタンド板体上に２本の起立材の中間部に挟合して縦方向に重ねて収納し、このスタンド板体は任意の食卓や調理台に置けばよい。
【００１３】
使用時においては、このスタンド板体上の各スプーン体を自由に使用すればよく、柄部は偏平形状の把持部になっているから、この把持面を指先で挟んで分量に合ったさじ部を使用すればよい。
【実施例】
【００１４】
本考案の計量用スプーン体は、計量する分量を例えば、１．２５ｃｃ，２．５ｃｃ，５ｃｃ，１５ｃｃの４種類に分けた小さじ部１，中小さじ部２，中大さじ部３，大さじ部４から成る。このスプーン体の種類と数は限定するものではない。また、このスプーン体は任意の色彩を施した合成樹脂材によって製作し、各々異色の材料を使うとよい。
【００１５】
この各さじ部１，２，３，４には、さじ部の平面部に対し直角に起立した把持面を偏平形状に形成した柄部として、前記各さじ部の大きさに合わせた大きさから成る小柄部５，中小柄部６，中大柄部７，大柄部８を設ける。
【００１６】
これら小柄部，中小柄部，中大柄部および大柄部の各形状は大きさは違うが同一に成り、その平面部９，１０，１１，１２はいずれも水平形に成るのに対し、その底面部１３，１４，１５，１６はいずれも前記さじ部の底面部と水平状態に位置するようにさじ部の上側一部から弯形状に形成している。
【００１７】
１７は任意形状に成るスタンド板体で、この板体の巾広に成る頭部１８の平面部には浅い凹溝部１９を設ける。
【００１８】
２０は前記スタンド板体１７の巾狭に成る尾部で、この尾部には中間部２１をおいて２本の起立材２２，２２を前記頭部１８方向へ円弧状に斜設し、この起立材の中間部に前記スプーン体の偏平形状の大柄部８，中大柄部７，中小柄部６および小柄部５が上下縦方向に重なって挟合するようになる。
【００１９】
この時、まず大柄部８と一体に成る大さじ部４の底面部がスタンド板体１７の頭部１８の凹溝部１９に載置するから、この大さじ部４の中に次の中大柄部７の中大さじ部３が嵌合し、この中大さじ部の中に次の中小柄部６の中小さじ部２が嵌合し、この中小さじ部２の中に次の小柄部５の小さじ部１が嵌合するようになる。（図５参照）
【符号の説明】
【００２０】
１                      小さじ部
２                      中小さじ部
３                      中大さじ部
４                      大さじ部
５                      小柄部
６                      中小柄部
７                      中大柄部
８                      大柄部
９，１０，１１，１２    平面部
１３，１４，１５，１６  底面部
１７                    スタンド板体
１８                    頭部
１９                    凹溝部
２０                    尾部
２１                    中間部
２２，２２              起立材
【図１】
0003173874.tif 000003
【図２】
0003173874.tif 000004
【図３】
0003173874.tif 000005
【図４】
0003173874.tif 000006
【図５】
0003173874.tif 000007
【手続補正書】
【提出日】平成23年12月15日(2011.12.15)
【手続補正１】
【補正対象書類名】明細書
【補正対象項目名】全文
【補正方法】変更
【補正の内容】
【考案の詳細な説明】
【技術分野】
【０００１】
本考案は、一般家庭等の調理時に使用する計量スプーンセットに関するものである。
【背景技術】
【０００２】
従来、わが国において使用されている計量スプーンは、分量の異なる大中小のさじ部を有する柄から成るものを複数個用意し、これを調理台や食卓に置いて使用するものであるところ、使用上の利便性を考慮して全部を一まとめにしておくことも必要であった。
【０００３】
そこで、そのような目的をもった計量スプーンについて調査したところ、次のようなものが刊行物公知となっていた。
【先行技術文献】
【特許文献】
【０００４】
【特許文献１】特開２００８−１４９２２号公報
【特許文献２】特開２００７−２２５５８０号公報
【特許文献３】登録実用新案第３１３０６２６号公報
【考案の概要】
【考案が解決しようとする課題】
【０００５】
しかしながら、これらのものはスプーン本体がその形状から周知のものであるとともに一まとめに重ねて収納して置くスタンド付きのものではなかったから、使いにくい技術から成るものであった。
【０００６】
そこで、本考案はこれらの欠点を改善した実用性の高い計量スプーンセットを提供することを目的とするものである。
【課題を解決するための手段】
【０００７】
本考案は、小さじ部と小柄部、中小さじ部と中小柄部、中大さじ部と中大柄部、大さじ部と大柄部から成る各スプーン体を設け、このスプーン体の各柄部は各さじ部に対し直角に偏平形状にした把持面を形成し、他方、スタンド板体の頭部に凹溝部を設けるとともに尾部に中間部をおいて２本の起立材を前記頭部方向へ円弧状に斜設し、前記起立材の中間部に前記スプーン体の偏平形状の大中小の柄部を縦方向に挟合するとともに最下位のスプーン体の大柄体の大さじ部に中大さじ部、中小さじ部、小さじ部の順に嵌合して成るものである。
【考案の効果】
【０００８】
本考案にあっては、使用する調味料などを大中小の分量別のスプーン体のさじ部によって正確に使用することができるのは勿論のこと、不使用時には全部のスプーン体を偏平形状に成る柄部を偏平状態のまま上下に重ねてスタンド板体の起立材間に挟合しておくだけで収納することができ、そのような収納状態にしたスプーン体の大中小のさじ部をセットとして調理台や食卓などに用意しておくことができる。
【０００９】
また、不使用時においてはスタンド板体上に縦方向に挟合したスプーン体の柄部の配置により、計量スプーンセットを調理台や食卓上に美観を保持することができるようになる。
【００１０】
なお、本考案の計量スプーンセットを使用するには、本件出願人がすでに取得している登録実用新案第３１１０１１６号に係る醤油差しとともに食卓で使用するのが有意義である。
【図面の簡単な説明】
【００１１】
【図１】使用する各計量スプーンの斜視図
【図２】使用するスタンドの斜視図
【図３】図２の平面図
【図４】計量スプーンの水平置き時の正面図
【図５】スタンド上の各計量スプーンの不使用時のセット状態を示す斜視図
【考案を実施するための形態】
【００１２】
不使用時においては、図５に示したような状態に大中小の分量別さじ部と柄部とから成るスプーン体を、各スプーン体の偏平形状に成る柄部をスタンド板体上に２本の起立材の中間部に挟合して縦方向に重ねて収納し、このスタンド板体は任意の食卓や調理台に置けばよい。
【００１３】
使用時においては、このスタンド板体上の各スプーン体を自由に使用すればよく、柄部は偏平形状の把持部になっているから、この把持面を指先で挟んで分量に合ったさじ部を使用すればよい。
【００１４】
また、分量別さじ部と柄部とから成るスプーン体をスタンド板体の両起立材間に挟合し収納した状態のままで食卓や調理台上を移動したいときは、両起立材の先端部分を両指先で摘んで行えばよい。
【実施例】
【００１５】
本考案の計量用スプーン体は、計量する分量を例えば、１．２５ｃｃ，２．５ｃｃ，５ｃｃ，１５ｃｃの４種類に分けた小さじ部１，中小さじ部２，中大さじ部３，大さじ部４から成る。このスプーン体の種類と数は限定するものではない。また、このスプーン体は任意の色彩を施した合成樹脂材によって製作し、各々異色の材料を使うとよい。
【００１６】
この各さじ部１，２，３，４には、さじ部の平面部に対し直角に起立した把持面を偏平形状に形成した柄部として、前記各さじ部の大きさに合わせた大きさから成る小柄部５，中小柄部６，中大柄部７，大柄部８を設ける。
【００１７】
これら小柄部，中小柄部，中大柄部および大柄部の各形状は大きさは違うが同一に成り、その平面部９，１０，１１，１２はいずれも水平形に成るのに対し、その底面部１３，１４，１５，１６はいずれも前記さじ部の底面部と水平状態に位置するようにさじ部の上側一部から弯形状に形成している。
【００１８】
１７は任意形状に成るスタンド板体で、この板体の巾広に成る頭部１８の平面部には浅い凹溝部１９を設ける。
【００１９】
２０は前記スタンド板体１７の巾狭に成る尾部で、この尾部には中間部２１をおいて２本の起立材２２，２２を前記頭部１８方向へ円弧状に斜設し、この起立材の中間部に前記スプーン体の偏平形状の大柄部８，中大柄部７，中小柄部６および小柄部５が上下縦方向に重なって挟合するようになる。
【００２０】
この時、まず大柄部８と一体に成る大さじ部４の底面部がスタンド板体１７の頭部１８の凹溝部１９に載置するから、この大さじ部４の中に次の中大柄部７の中大さじ部３が嵌合し、この中大さじ部の中に次の中小柄部６の中小さじ部２が嵌合し、この中小さじ部２の中に次の小柄部５の小さじ部１が嵌合するようになる。（図５参照）
【符号の説明】
【００２１】
１                      小さじ部
２                      中小さじ部
３                      中大さじ部
４                      大さじ部
５                      小柄部
６                      中小柄部
７                      中大柄部
８                      大柄部
９，１０，１１，１２    平面部
１３，１４，１５，１６  底面部
１７                    スタンド板体
１８                    頭部
１９                    凹溝部
２０                    尾部
２１                    中間部
２２，２２              起立材